(57)【要約】本発明は、マルチメディアデータ信号を送信する少なくとも1つの送信機；前記マルチメディアデータ信号を受信する少なくとも1つの受信機；前記少なくとも1つの送信機から前記マルチメディアデータ信号を無線で受信し、前記少なくとも1つの受信機から前記マルチメディアデータ信号を有線で受信し、同期制御信号を送信する少なくとも1つのマスター受信機を含む近距離無線送受信システムを提供する。
2010539842.tif 000002
【特許請求の範囲】
【請求項１】
マルチメディアデータ信号を送信する少なくとも1つの送信機；
前記マルチメディアデータ信号を受信する少なくとも1つの受信機；
前記少なくとも1つの送信機から前記マルチメディアデータ信号を無線で受信し、前記少なくとも1つの受信機から前記マルチメディアデータ信号を有線で受信し、同期制御信号を送信する少なくとも1つのマスター受信機
を含む近距離無線送受信システム。
【請求項２】
前記少なくとも1つの送信機は、前記マルチメディアデータ信号を第１伝送速度で送信し、前記少なくとも1つのマスター受信機は、前記同期制御信号を前記第１伝送速度より低い第２伝送速度で送信することを特徴とする請求項１に記載の近距離無線送受信システム。
【請求項３】
前記少なくとも1つのマスター受信機は、前記少なくとも1つの送信機から無線で受信した前記マルチメディアデータ信号と、前記少なくとも1つの受信機から有線で受信した前記マルチメディアデータ信号とを比較して、前記マルチメディアデータ信号のエラーを復旧することを特徴とする請求項１に記載の近距離無線送受信システム。
【請求項４】
前記少なくとも1つのマスター受信機は、
前記少なくとも1つの受信機との有線連結を支援する有線インターフェース部；
前記少なくとも1つの送信機から前記マルチメディアデータ信号を受信する無線受信部；
前記同期制御信号を送信する無線送信部；
前記有線インターフェース部、または前記無線受信部が受信した前記マルチメディアデータ信号のエラーを復旧するエラー復旧演算部；
前記エラー復旧演算部の前記マルチメディアデータ信号のデジタル信号をアナログ信号に変換するコーデック部
を含むことを特徴とする請求項１に記載の近距離無線送受信システム。
【請求項５】
前記少なくとも1つの受信機は、
前記少なくとも1つのマスター受信機から前記同期制御信号を受信し、
前記少なくとも1つの送信機から前記マルチメディアデータ信号を受信する無線受信部；
前記無線受信部を制御し、前記同期制御信号を利用して網同期を維持する制御部；
前記マルチメディアデータ信号のエラーを復旧するエラー復旧演算部；
前記少なくとも1つのマスター受信機へ前記マルチメディアデータ信号を有線で送信する有線インターフェース部
を含むことを特徴とする請求項１に記載の近距離無線送受信システム。
【請求項６】
前記少なくとも1つの受信機は、
前記少なくとも1つのマスター受信機から前記同期制御信号を受信し、前記少なくとも1つの送信機から前記マルチメディアデータ信号を受信する無線受信部；
前記無線受信部を制御し、前記同期制御信号を利用して網の同期を維持する制御部；
前記マルチメディアデータ信号のエラーを復旧するエラー復旧演算部；
前記少なくとも1つのマスター受信機へ前記マルチメディアデータ信号を有線で送信する有線インターフェース部
を含むことを特徴とする請求項１に記載の近距離無線送受信システム。
【請求項７】
前記少なくとも1つの受信機は、前記少なくとも1つのマスター受信機と通信する無線送信部をさらに含むことを特徴とする請求項６に記載の近距離無線送受信システム。
【請求項８】
前記少なくとも1つの送信機は、
無線マルチメディア装置で生成された前記マルチメディアデータ信号を受信するアナログ信号入力部；
前記マルチメディアデータ信号のアナログ信号をデジタル信号に変換するコーデック部；
前記少なくとも1つのマスター受信機と前記少なくとも1つの受信機へ前記マルチメディアデータ信号を送信する無線送信部；
前記少なくとも1つのマスター受信機から前記同期制御信号を受信する無線受信部；
前記無線送信部と前記無線受信部を制御し、前記同期制御信号を利用して網の同期を維持する制御部
を含むことを特徴とする請求項１に記載の近距離無線送受信システム。
【請求項９】
前記同期制御信号の伝送半径は、前記マルチメディアデータ信号の伝送半径より大きいことを特徴とする請求項１に記載の近距離無線送受信システム。
【請求項１０】
マルチメディアデータ信号を第１伝送速度で送信する少なくとも1つの送信機；
前記マルチメディアデータ信号を受信する少なくとも1つの受信機；
前記マルチメディアデータ信号を受信し、同期制御信号を前記第１伝送速度より低い第２伝送速度で送信する少なくとも1つのマスター受信機
を含む近距離無線送受信システム。
【請求項１１】
少なくとも1つの送信機がマルチメディアデータ信号を送信する段階；
少なくとも1つの受信機が前記マルチメディアデータ信号を受信する段階；
少なくとも1つのマスター受信機が、前記少なくとも1つの送信機から前記マルチメディアデータ信号を無線で受信し、前記少なくとも1つの受信機から前記マルチメディアデータ信号を有線で受信し、同期制御信号を送信して網の同期を維持する段階
を含む近距離無線送受信方法。
【請求項１２】
前記少なくとも1つの送信機は、前記マルチメディアデータ信号を第１伝送速度で送信し、前記少なくとも1つのマスター受信機は、前記同期制御信号を前記第１伝送速度より低い第２伝送速度で送信することを特徴とする請求項１０に記載の近距離無線送受信方法。
【請求項１３】
前記少なくとも1つの送信機から無線で受信した前記マルチメディアデータ信号と、前記少なくとも1つの受信機から有線で受信した前記マルチメディアデータ信号とを比較し、前記マルチメディアデータ信号のエラーを復旧する段階をさらに含むことを特徴とする請求項１１に記載の近距離無線送受信方法。
【請求項１４】
前記少なくとも1つの送信機は、前記マルチメディアデータ信号を時分割方式で送信する多数の送信機を含むことを特徴とする請求項１１に記載の近距離無線送受信方法。
【請求項１５】
前記少なくとも1つのマスター受信機は、前記少なくとも1つの送信機から受信した前記マルチメディアデータ信号のブロックと、前記少なくとも1つの受信機から受信した前記マルチメディアデータ信号のブロックとを比較し、エラーのないブロックを選択することによって、前記マルチメディアデータ信号のエラーを復旧することを特徴とする請求項１１に記載の近距離無線送受信方法。
【請求項１６】
前記少なくとも1つのマスター受信機は、前記マルチメディアデータ信号の全てのブロックでエラーが発生する場合、FEC（Forward  Error  Correction、順方向誤謬訂正）によって、前記マルチメディアデータ信号のエラーを復旧することを特徴とする請求項１５に記載の近距離無線送受信方法。
【請求項１７】
少なくとも1つの送信機がマルチメディアデータ信号を第１伝送速度で送信する段階；
少なくとも1つの受信機が前記マルチメディアデータ信号を受信する段階；
少なくとも1つのマスター受信機が、前記マルチメディアデータ信号を受信し、前記第１伝送速度より低い第２伝送速度で同期制御信号を送信して網の同期を維持する段階
を含む近距離無線送受信方法。
【発明の詳細な説明】
【技術分野】
【０００１】
本発明は、近距離無線送受信システム、及びその方法に関したものであり、具体的には送信機からの無線信号を受信する受信機と、前記受信機と有線で連結されたマスター受信機とを含み、網の同期を維持するための同期制御用フレームとマルチメディアとを分離したデジタルメディア近距離無線送受信システム、及び伝送方法に関するものである。
【背景技術】
【０００２】
最近、許可を得ずに使用することができるISM（Industrial,  Scientific  and  Medical）バンド、及びUNII（Unlicensed  National  Information  Infrastructure）バンドの帯域を利用する様々な小出力無線機器などが全世界的に数多く開発されている。
【０００３】
特に無線マイク、無線ヘッドフォン、無線スピーカーなどのオーディオ無線伝送機器でこのような周波数帯域が利用されており、無線インターネット放送、無線監視カメラなどのビデオ信号のデジタル無線伝送機器などでも無線ラン、ブルートゥース（Bluetooth）、FSK（Frequency  Shift  Keying）無線技術などを利用して様々な製品が開発されている。
【０００４】
また、最近にはMIMO（Multiple-In  Multiple-Out）アンテナを使用して無線ランの使用距離を拡張するIEEE802.11nの標準化作業が行われており、MIMO技術が適用されたAP（Access  Point）製品も数多く出市されている。
【０００５】
しかし、このような周波数帯域は用途の制限がなく、誰でも使用することができるため、同一地域で多数の応用製品が同時に使用されると、相互干渉により伝送品質が深刻に低下される問題点があった。
【０００６】
単一機器を使用する場合にも小出力、高周波数を使用する伝送方式の特性のため、周辺施設から反射されるマルチパス信号によるフェーディング現象が発生し、このため、伝送品質が低下されて使用距離が深刻に制限されるだけではなく、方向による受信感度の差が非常に大きいという問題点があった。
【０００７】
このような問題点により高品質実時間伝送が要求される応用製品分野で様々なデジタル無線製品が出市できない実状である。
【０００８】
一例を挙げると、全世界的にカラオケ、放送、ステージ、会議などの多くの分野で活用されている無線マイクの大部分は赤外線、またはアナログ方式である。
【０００９】
アナログ無線マイクの音質が悪く、チャンネル不足により同時使用者数が大きく制限され、付加的な情報交換などの現場からの様々な要求を受け入れにくいなど多くの短所があるにもかかわらず、デジタル無線マイクが抱えている使用距離限界と、マルチパスによるフェーディング現象のために発生するエラーがまだ解決されていないからである。
【００１０】
このような問題を解決するためにマイモ（MIMO）アンテナを使用したり、周波数、時間、またはアンテナダイバシティ方式などの様々な伝送方法が活発に試図されている。
【００１１】
このような伝送方法によると、伝送速度が高速化され、非圧縮高品質オーデオやビデオの伝送が可能になり、従来の無線ラン方式より距離拡張が可能になる。しかし、ISMバンド、UNIIバンドなどの高周波数信号を小出力で伝送する機器には、伝送距離に基本的な限界があるだけではなく、フェーディング現象により発生するエラーが根本的に解決されていない。
【００１２】
最近、オーデオ製品を中心に常用化段階にあるUWB（Ultra Wide Band）技術の場合にも伝送距離が無線ランの伝送距離に比べ、非常に短いという限界がある。
【発明の概要】
【発明が解決しようとする課題】
【００１３】
本発明は、前述した問題点を解決するためのものであり、その目的は、デジタルマルチメディアデータの無線伝送距離を拡張し、伝送品質を向上できる近距離無線伝送システム、及び無線伝送方法を提供することである。  
【課題を解決するための手段】
【００１４】
本発明は前述した目的を達成するために、マルチメディアデータ信号を送信する少なくとも１つの送信機；前記マルチメディアデータ信号を受信する少なくとも１つの受信機；前記少なくとも１つの送信機から前記マルチメディアデータ信号を無線で受信し、前記少なくとも１つの受信機から前記マルチメディアデータ信号を有線で受信し、同期制御信号を送信する少なくとも１つのマスター受信機を含む近距離無線送受信システムを提供する。
【００１５】
前記少なくとも１つの送信機は、前記マルチメディアデータ信号を第１伝送速度で送信し、前記少なくとも１つのマスター受信機は、前記同期制御信号を前記第１伝送速度より低い第２伝送速度で送信する。
【００１６】
前記少なくとも１つのマスター受信機は、前記少なくとも１つの送信機から無線で受信した前記マルチメディアデータ信号と、前記少なくとも１つの受信機から有線で受信した前記マルチメディアデータ信号とを比較して、前記マルチメディアデータ信号のエラーを復旧する。
【００１７】
また、前記少なくとも１つのマスター受信機は、前記少なくとも１つの受信機との有線連結を支援する有線インターフェース部；前記少なくとも１つの送信機から前記マルチメディアデータ信号を受信する無線受信部；前記同期制御信号を送信する無線送信部；前記有線インターフェース部、または前記無線受信部が受信した前記マルチメディアデータ信号のエラーを復旧するエラー復旧演算部；前記エラー復旧演算部の前記マルチメディアデータ信号のデジタル信号をアナログ信号に変換するコーデック部；を含むことができる。
【００１８】
そして、前記少なくとも１つのマスター受信機は、多数の動作周波数で各々動作する多数のマスター受信機で構成されており、前記少なくとも１つの送信機は、前記多数の動作周波数の中で１つを選択する周波数選択部を備えることができる。
【００１９】
また、前記少なくとも１つの受信機は、前記少なくとも１つのマスター受信機から前記同期制御信号を受信し、前記少なくとも１つの送信機から前記マルチメディアデータ信号を受信する無線受信部；前記無線受信部を制御し、前記同期制御信号を利用して網の同期を維持する制御部；前記マルチメディアデータ信号のエラーを復旧するエラー復旧演算部；前記少なくとも１つのマスター受信機へ前記マルチメディアデータ信号を有線で送信する有線インターフェース部を含むことができる。
【００２０】
この場合、前記少なくとも１つの受信機は、前記少なくとも１つのマスター受信機と通信する無線送信部をさらに含むことができる。
【００２１】
そして、前記少なくとも１つの送信機は、無線マルチメディア装置で生成された前記マルチメディアデータ信号を受信するアナログ信号入力部；前記マルチメディアデータ信号のアナログ信号をデジタル信号に変換するコーデック部；前記少なくとも１つのマスター受信機と前記少なくとも１つの受信機へ前記マルチメディアデータ信号を送信する無線送信部；前記少なくとも１つのマスター受信機から前記同期制御信号を受信する無線受信部；前記無線送信部と前記無線受信部を制御し、前記同期制御信号を利用して網の同期を維持する制御部を含むことができる。
【００２２】
前記同期制御信号の伝送半径は、前記マルチメディアデータ信号の伝送半径より大きいことを特徴とする。
【００２３】
一方、本発明は、マルチメディアデータ信号を第１伝送速度で送信する少なくとも１つの送信機；前記マルチメディアデータ信号を受信する少なくとも１つの受信機；前記マルチメディアデータ信号を受信し、同期制御信号を前記第１伝送速度より低い第２伝送速度で送信する少なくとも１つのマスター受信機を含む近距離無線送受信システムを提供する。
【００２４】
また一方、本発明は、少なくとも１つの送信機がマルチメディアデータ信号を送信する段階；少なくとも１つの受信機が前記マルチメディアデータ信号を受信する段階；少なくとも１つのマスター受信機が、前記少なくとも１つの送信機から前記マルチメディアデータ信号を無線で受信し、前記少なくとも１つの受信機から前記マルチメディアデータ信号を有線で受信し、同期制御信号を送信して網の同期を維持する段階を含む近距離無線送受信方法を提供する。
【００２５】
前記少なくとも１つの送信機は、前記マルチメディアデータ信号を第１伝送速度で送信し、前記少なくとも１つのマスター受信機は、前記同期制御信号を前記第１伝送速度より低い第２伝送速度で送信する。
【００２６】
前記近距離無線送受信方法は、前記少なくとも1つの送信機から無線で受信した前記マルチメディアデータ信号と、前記少なくとも1つの受信機から有線で受信した前記マルチメディアデータ信号とを比較して、前記マルチメディアデータ信号のエラーを復旧する段階をさらに含むことができる。
【００２７】
そして、前記少なくとも1つの送信機は、前記マルチメディアデータ信号を時分割方式で送信する多数の送信機を含むことができる。
この場合、前記少なくとも1つのマスター受信機は、前記少なくとも1つの送信機から受信した前記マルチメディアデータ信号のブロックと、前記少なくとも1つの受信機から受信した前記マルチメディアデータ信号のブロックとを比較して、エラーのないブロックを選択することにより、前記マルチメディアデータ信号のエラーを復旧することができ、前記マルチメディアデータ信号の全てのブロックでエラーが発生する場合、FEC（Forward  Error  Correction、順方向誤謬訂正）により、前記マルチメディアデータ信号のエラーを復旧することができる。
【００２８】
また一方、本発明は、少なくとも1つの送信機がマルチメディアデータ信号を第１伝送速度で送信する段階；少なくとも１つの受信機が前記マルチメディアデータ信号を受信する段階；少なくとも１つのマスター受信機が、前記マルチメディアデータ信号を受信し、前記第１伝送速度より低い第２伝送速度で同期制御信号を送信して、網の同期を維持する段階を含む近距離無線送受信方法を提供する。
【発明の効果】
【００２９】
本発明によると、低速の同期制御フレームを伝送することにより網の領域を最大化することができ、受信エラーを減少させることにより高品質なデジタルマルチメディアデータを高速で伝送する近距離無線送受信システムの構成が可能になる。
【００３０】
従って、受信距離限界、データ受信エラーなどの問題のために製品化が実現できなかった専門家用無線マイク、無線ヘッドセット、無線スピーカーなどの無線オーディオ分野、及び無線カメラのビデオ分野などで信頼性のある高品質なデジタルマルチメディア近距離無線伝送装置の製品化を実現することができる。
【００３１】
特に本発明は、現在使用中の無線ラン、ブルートゥース（Bluetooth）、FSKトランシーバーなどの無線を使用するデジタルマルチメディア近距離無線伝送装置の根本的な問題、即ち小出力かつ高周波数による伝送距離限界、及びフェーディング現象による受信データのエラーを画期的に改善することができる。
【００３２】
また、今後製品化が加速化されるMIMOアンテナ技術、及びUWB技術を採用したデジタルマルチメディア近距離無線伝送装置にも本発明を適用することによって、品質や距離を向上させ、高品質で様々なデジタルマルチメディア近距離無線伝送装置の製品化を加速化することができる。
【図面の簡単な説明】
【００３３】
【図１】本発明の実施例にかかる近距離無線送受信システムの構成図である。
【図２】本発明の実施例にかかるマスター受信機のブロック図である。
【図３】本発明の実施例にかかる受信機のブロック図である。
【図４】本発明の実施例にかかる送信機のブロック図である。
【図５】時分割データフレームの送受信過程を示す図面である。
【図６】可変データフレームの送受信過程を示す図面である。
【図７】本発明の実施例にかかるエラー復旧過程を示す図面である。
【図８】多数のマスター受信機を含むシステム構成図である。
【発明を実施するための形態】
【００３４】
以下では、図面を参照して本発明の好ましい実施例を詳細に説明する。
【００３５】
本発明の無線送受信システムは、マルチメディアデータフレームの高速伝送によって伝送距離が制限される問題点を、送信機のデータフレームを受信することができる１つ以上の受信機をマスター受信機に有線で連結することで解決し、フェーディング現象による伝送品質の問題は、マスター受信機で重複受信したデータフレームを利用してエラーを復旧することで解決する点に特徴がある。
【００３６】
図１は、本発明の実施例にかかる近距離無線伝送システムの構成を例示したものであり、マスター受信機１０、前記マスター受信機１０と有線で通信する第１受信機２０a、及び第２受信機２０b、マルチメディアデータを無線で伝送する第１送信機３０a、及び第２送信機３０bを含む。
【００３７】
この場合、受信機、または送信機は示したものとは異なって、各々１つずつ設置されたりさらに多く設置されることができ、マスター受信機１０も多数個設置されることができる。
【００３８】
マスター受信機１０は、低速の同期制御信号を送信して網の同期を維持する一方、第１送信機３０a、または第２送信機３０bから伝送される高速のマルチメディアデータ信号を直接無線で受信したり、第１受信機２０a、または第２受信機２０bを通じて有線で受信し、エラーを復旧し、復旧されたデータをスピーカーやモニターなどの出力手段を通じて出力する。
【００３９】
このように高速のデータ伝送が必要なマルチメディアデータ用伝送フレームと、網の同期を維持するための同期制御信号用伝送フレームとを分離して近距離無線伝送システムを構築することにより、低速の同期制御用フレームを通じて網の領域を最大に拡張することができる。即ち、マルチメディアデータ信号は第１送信機３０a、または第２送信機３０bから第１伝送速度で送信され、同期制御信号はマスター受信機１０から第１伝送速度より低い第２伝送速度で送信される。
【００４０】
また、マルチメディア伝送フレームを送信機から高速で伝送することによって安定的な伝送スループットを達成することができ、高品質の非圧縮オーディオを含んだマルチメディアデータの伝送が可能になる。
【００４１】
各受信機２０a、２０b、または各送信機３０a、３０bの設置位置や設置間隔などは送信機３０a、３０bの移動可否、マスター受信機１０との距離、伝送可能距離、現場の無線環境、製品の信頼性などの様々な要因を考えて、適切に選択することができる。
【００４２】
図面の第１送信機３０aはマスター受信機１０、第１受信機２０a、及び第２受信機２０bの各データ信号の伝送半径内に位置するので、マスター受信機１０、第１受信機２０a、及び第２受信機２０bは第１送信機３０aから伝送されたマルチメディアデータ信号を直接受信することができる。
【００４３】
マスター受信機１０は、自身が直接受信した第１送信機３０aのデータ信号と、第１、及び第２受信機２０a、２０bで受信したデータ信号とを利用して、エラーを復旧する。
【００４４】
第２送信機３０bは第２受信機２０bのデータ信号の伝送半径内にだけ位置するので、第２送信機３０bから伝送されたデータ信号は第２受信機で受信された後にマスター受信機へ伝送される。
【００４５】
マスター受信機１０は、図２のブロック図に示したように有線インターフェース部１１、無線受信部１２、無線送信部１３、制御部１４、エラー復旧演算部１５、コーデック部１６、アナログ信号出力部１７などを含む。
【００４６】
有線インターフェース部１１は、有線で連結された各受信機２０a、２０bから伝送されるマルチメディアデータ信号を受信し、無線受信部１２は、各送信機３０a、３０bから伝送されるマルチメディアデータ信号を直接受信する。
【００４７】
無線送信部１３は網の同期を維持するための同期制御信号を送信し、本発明の実施例では網の領域を最大に拡張するために低速の同期制御信号を伝送する。例えば、約６Mbpsで同期制御信号を送信すると、マスター受信機１０を中心におよそ伝送半径７００m内に位置する多数の受信機２０a、２０b、及び多数の送信機３０a、３０bと同期を維持することができる。
【００４８】
各送信機３０a、３０bから送信されるマルチメディアデータ信号は同期制御信号に比べてさらに高速で伝送されるため、同期制御信号よりさらに短い伝送距離を持つ。例えば、２４Mbpsの伝送速度で伝送する場合、約３５０mの伝送距離を持つことができるが、実際には受信データの信頼性を高めるためにこれよりさらに短い伝送距離が確保される。
【００４９】
各送信機３０a、３０bのマルチメディアデータ信号をマスター受信機１０へ安定的に伝送するためには、各送信機３０a、３０bの位置や移動性を考え、網の領域内部に多数の受信機２０a、２０bを適切に配置しなければならない。
【００５０】
マスター受信機１０の制御部１４は同期制御信号を送信する無線送信部１３と、マルチメディアデータ信号を受信する無線受信部１２を制御する。
【００５１】
エラー復旧演算部１５は有線インターフェース部１１、または無線受信部１２を通じて受信したマルチメディアデータ信号のエラーを復旧する。復旧されたマルチメディアデータ信号は、コーデック部１６でアナログ信号に変換された後にアナログ信号出力部１７を通じて出力装置へ伝送され、再生される。
【００５２】
一方、前記有線インターフェース部１１、エラー復旧演算部１５、コーデック部１６、アナログ信号出力部１７には、各々のモジュール化された製品やチップを用いることができる。
【００５３】
マスター受信機１０はスピーカー、モニターなどの出力装置に搭載されたり、別途の装置で提供されることもできる。また、受信機２０a、２０b、及び送信機３０a、３０bからマルチメディアデータ信号を受信する他にも各受信機２０a、２０bと通信環境に関する様々な情報を交換することもできる。
【００５４】
各受信機２０a、２０bは図３に示したように無線受信部２１、制御部２２、エラー復旧演算部２３、有線インターフェース部２４などを含む。
【００５５】
無線受信部２１は、マスター受信機１０から無線で送信される同期制御信号と、送信機３０a、３０bから無線で伝送されるマルチメディアデータ信号を受信する。
【００５６】
制御部２２は無線受信部２１の動作を制御する一方、受信した同期制御信号を利用して網の同期を維持する。
【００５７】
エラー復旧演算部２３は受信したマルチメディアデータ信号のエラーを復旧し、有線インターフェース部２４は復旧された信号を有線でマスター送信機１０へ伝送する。このようにマルチメディアデータを、有線を通じ、高速でマスター受信機１０へ伝送すると、安定的なデータ伝送が可能になる。
【００５８】
一方、受信機２０a、２０bにも無線送信機２５を置き、マスター受信機１０、または送信機３０a、３０bと通信環境に関する情報を交換することもできる。
【００５９】
送信機３０a、３０bは、無線マイクなどの無線オーディオ装置や無線カメラなどの無線ビデオ装置の内部に搭載されたり付着され、前記装置で生成されたマルチメディアデータ信号を無線で送信する。
【００６０】
送信機３０a、３０bは図４のブロック図に示したようにアナログ信号入力部３１、コーデック部３２、無線送信部３３、無線受信部３４、制御部３５などを含む。
【００６１】
アナログ信号入力部３１は無線オーディオ装置、または無線ビデオ装置などの無線マルチメディア装置で生成されたアナログ信号を受信し、コーデック部３２はアナログ信号をデジタル信号に変換する。
【００６２】
無線送信部３３は制御部３５によって制御され、コーデック部３２で変換されたマルチメディアデータ信号を無線で送信する。
【００６３】
送信機３０a、３０bの無線送信部３３は同期制御信号よりさらに高速でマルチメディアデータ信号を送信し、前述したように高速伝送による伝送距離限界は、マスター受信機１０と有線で連結された受信機２０、２０を設置することによって解決される。また、高速伝送によってひどくなるフェーディング現象は、マスター受信機１０で行われるエラー復旧過程により、克服されることができる。
【００６４】
送信機３０a、３０bの無線受信部３４はマスター受信機１０から伝送される同期制御信号を受信し、制御部３５は前記無線送信部３３と無線受信部３４の動作を制御しながら無線受信部３３で受信した同期制御信号によって網の同期を維持する。
【００６５】
送信機３０a、３０bから伝送されるマルチメディアデータ信号は時分割方式で構成されたり、応用分野によっては可変データフレームの構造を持つこともできる。
【００６６】
例えば、図５に示したようにマスター受信機１０の同期制御フレーム信号によって同期された多数の送信機２０a、２０bが、マルチメディアデータフレームを時分割方式で送信すると、マスター受信機１０、及び多数の受信機３０a、３０bでは示したように１周期毎に各送信機２０a、２０bから伝送されたマルチメディアデータフレームが連続的に受信される。
【００６７】
図６は、送信機３０a、３０bが可変データフレームを伝送した場合にマスター受信機１０で受信したマルチメディアデータフレームを例示した図面である。
【００６８】
本発明の実施例では、マスター受信機１０が同一なマルチメディアデータ信号を送信機３０a、３０bだけではなく、受信機２０a、２０bからも受信することができるため、重複受信したデータ信号を利用してフェーディング現象によるエラーを復旧できる点に特徴がある。
【００６９】
例えば、図７に示したように送信機３０a、３０bから伝送されたマルチメディアデータ信号のフレームがｎ個のブロックで構成される場合に、同一な送信機３０a，３０bから送信されたデータ信号が、第１受信機２０aでは第１ブロックと第４ブロックでエラーが発生したまま受信され、第２受信機２０bでは第２ブロックと第４ブロックでエラーが発生したまま受信され、第３受信機２０cでは第２ブロック、第３ブロック、第４ブロックでエラーが発生したまま受信されたと仮定する。
【００７０】
この場合、マスター受信機１０のエラー復旧演算部１５はまず、各受信機２０a、２０bから受信した多数のデータフレームを互いに比較した後にエラーのないブロックを取捨選択し、正常的なデータフレームを構成する。
【００７１】
例えば、データフレームの第１ブロックは第２受信機２０b、または第３受信機２０cで受信したデータを選択し、データフレームの第２ブロックは第１受信機２０aで受信したデータを選択し、データフレームの第３ブロックは第１受信機２０a、または第２受信機２０bで受信したデータを選択すると、少なくとも第１ないし第３ブロックは完璧に再構成することができる。
【００７２】
第４ブロックのように全受信機２０a、２０b，２０cから受信した信号にエラーが発生した場合には、各バイト単位で２／３  FEC（Forward  Error  Correction,順方向誤謬訂正）により、エラーを復旧することができる。具体的なエラー復旧方法は、配置された受信機の数により、異なって適用されることもできる。例えば、マスター受信機１０を含む受信機の数が５個であれば、３／５  FECにより、エラーを復旧することができる。
【００７３】
一方、以上では１つのマスター受信機１０を含む伝送システムに関して説明したが、送信機３０a、３０bを備えたマルチメディア装置の同時使用者数が多くて伝送容量に限界がある場合に備え、図８に示したように各々使用周波数を異なる多数のマスター受信機１０a、１０b、１０cを設置することもできる。
【００７４】
この場合、各送信機３０a，３０bには特定マスター受信機と通信することができる周波数選択部を備え、通信しようとするマスター受信機によって動作周波数を選択し、マルチメディアデータ信号を送信することが好ましい。
【００７５】
この場合、各マスター受信機１０a、１０b、１０cは自身の動作周波数に該当するマルチメディアデータ信号のみ抽出し、エラー復旧の過程を経て出力する。
【００７６】
一方、多数のマスター受信機１０a、１０b、１０cを有線で互いに連結し、使用周波数に関する情報などを公有したり、かかる構成を通じてマルチメディア装置の同時使用者数を大幅に増加することができる。
【図１】
2010539842.tif 000003
【図２】
2010539842.tif 000004
【図３】
2010539842.tif 000005
【図４】
2010539842.tif 000006
【図５】
2010539842.tif 000007
【図６】
2010539842.tif 000008
【図７】
2010539842.tif 000009
【図８】
2010539842.tif 000010
【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
マルチメディアデータ信号を送信する少なくとも1つの送信機；
前記マルチメディアデータ信号を受信する少なくとも1つの受信機；
前記少なくとも1つの送信機から前記マルチメディアデータ信号を無線で受信し、前記少なくとも1つの受信機から前記マルチメディアデータ信号を有線で受信し、同期制御信号を送信する少なくとも1つのマスター受信機
を含む近距離無線送受信システム。
【請求項２】
前記少なくとも1つの送信機は、前記マルチメディアデータ信号を第１伝送速度で送信し、前記少なくとも1つのマスター受信機は、前記同期制御信号を前記第１伝送速度より低い第２伝送速度で送信することを特徴とする請求項１に記載の近距離無線送受信システム。
【請求項３】
前記少なくとも1つのマスター受信機は、前記少なくとも1つの送信機から無線で受信した前記マルチメディアデータ信号と、前記少なくとも1つの受信機から有線で受信した前記マルチメディアデータ信号とを比較して、前記マルチメディアデータ信号のエラーを復旧することを特徴とする請求項１に記載の近距離無線送受信システム。
【請求項４】
前記少なくとも1つのマスター受信機は、
前記少なくとも1つの受信機との有線連結を支援する有線インターフェース部；
前記少なくとも1つの送信機から前記マルチメディアデータ信号を受信する無線受信部；
前記同期制御信号を送信する無線送信部；
前記有線インターフェース部、または前記無線受信部が受信した前記マルチメディアデータ信号のエラーを復旧するエラー復旧演算部；
前記エラー復旧演算部の前記マルチメディアデータ信号のデジタル信号をアナログ信号に変換するコーデック部
を含むことを特徴とする請求項１に記載の近距離無線送受信システム。
【請求項５】
前記少なくとも1つのマスター受信機は、互いに異なる周波数を利用する多数のマスター受信機を含み、前記少なくとも1つの送信機は、前記多数のマスター受信機の中で1つを選択する周波数選択部
を含むことを特徴とする請求項１に記載の近距離無線送受信システム。
【請求項６】
前記少なくとも1つの受信機は、
前記少なくとも1つのマスター受信機から前記同期制御信号を受信し、前記少なくとも1つの送信機から前記マルチメディアデータ信号を受信する無線受信部；
前記無線受信部を制御し、前記同期制御信号を利用して網の同期を維持する制御部；
前記マルチメディアデータ信号のエラーを復旧するエラー復旧演算部；
前記少なくとも1つのマスター受信機へ前記マルチメディアデータ信号を有線で送信する有線インターフェース部
を含むことを特徴とする請求項１に記載の近距離無線送受信システム。
【請求項７】
前記少なくとも1つの受信機は、前記少なくとも1つのマスター受信機と通信する無線送信部をさらに含むことを特徴とする請求項６に記載の近距離無線送受信システム。
【請求項８】
前記少なくとも1つの送信機は、
無線マルチメディア装置で生成された前記マルチメディアデータ信号を受信するアナログ信号入力部；
前記マルチメディアデータ信号のアナログ信号をデジタル信号に変換するコーデック部；
前記少なくとも1つのマスター受信機と前記少なくとも1つの受信機へ前記マルチメディアデータ信号を送信する無線送信部；
前記少なくとも1つのマスター受信機から前記同期制御信号を受信する無線受信部；
前記無線送信部と前記無線受信部を制御し、前記同期制御信号を利用して網の同期を維持する制御部
を含むことを特徴とする請求項１に記載の近距離無線送受信システム。
【請求項９】
前記同期制御信号の伝送半径は、前記マルチメディアデータ信号の伝送半径より大きいことを特徴とする請求項１に記載の近距離無線送受信システム。
【請求項１０】
マルチメディアデータ信号を第１伝送速度で送信する少なくとも1つの送信機；
前記マルチメディアデータ信号を受信する少なくとも1つの受信機；
前記マルチメディアデータ信号を受信し、同期制御信号を前記第１伝送速度より低い第２伝送速度で送信する少なくとも1つのマスター受信機
を含む近距離無線送受信システム。
【請求項１１】
少なくとも1つの送信機がマルチメディアデータ信号を送信する段階；
少なくとも1つの受信機が前記マルチメディアデータ信号を受信する段階；
少なくとも1つのマスター受信機が、前記少なくとも1つの送信機から前記マルチメディアデータ信号を無線で受信し、前記少なくとも1つの受信機から前記マルチメディアデータ信号を有線で受信し、同期制御信号を送信して網の同期を維持する段階
を含む近距離無線送受信方法。
【請求項１２】
前記少なくとも1つの送信機は、前記マルチメディアデータ信号を第１伝送速度で送信し、前記少なくとも1つのマスター受信機は、前記同期制御信号を前記第１伝送速度より低い第２伝送速度で送信することを特徴とする請求項１０に記載の近距離無線送受信方法。
【請求項１３】
前記少なくとも1つの送信機から無線で受信した前記マルチメディアデータ信号と、前記少なくとも1つの受信機から有線で受信した前記マルチメディアデータ信号とを比較し、前記マルチメディアデータ信号のエラーを復旧する段階をさらに含むことを特徴とする請求項１１に記載の近距離無線送受信方法。
【請求項１４】
前記少なくとも1つの送信機は、前記マルチメディアデータ信号を時分割方式で送信する多数の送信機を含むことを特徴とする請求項１１に記載の近距離無線送受信方法。
【請求項１５】
前記少なくとも1つのマスター受信機は、前記少なくとも1つの送信機から受信した前記マルチメディアデータ信号のブロックと、前記少なくとも1つの受信機から受信した前記マルチメディアデータ信号のブロックとを比較し、エラーのないブロックを選択することによって、前記マルチメディアデータ信号のエラーを復旧することを特徴とする請求項１１に記載の近距離無線送受信方法。
【請求項１６】
前記少なくとも1つのマスター受信機は、前記マルチメディアデータ信号の全てのブロックでエラーが発生する場合、FEC（Forward Error
Correction、順方向誤謬訂正）によって、前記マルチメディアデータ信号のエラーを復旧することを特徴とする請求項１５に記載の近距離無線送受信方法。
【請求項１７】
少なくとも1つの送信機がマルチメディアデータ信号を第１伝送速度で送信する段階；
少なくとも1つの受信機が前記マルチメディアデータ信号を受信する段階；
少なくとも1つのマスター受信機が、前記マルチメディアデータ信号を受信し、前記第１伝送速度より低い第２伝送速度で同期制御信号を送信して網の同期を維持する段階
を含む近距離無線送受信方法。
【請求項１８】
前記少なくとも1つの受信機と前記少なくとも1つのマスター受信機の中で1つは、前記マルチメディアデータ信号のエラーを復旧することを特徴とする請求項１に記載の近距離無線送受信システム。
【請求項１９】
前記少なくとも1つの受信機と前記少なくとも1つのマスター受信機の中で1つは、前記マルチメディアデータ信号のエラーを復旧することを特徴とする請求項１１に記載の近距離無線送受信方法。
【国際調査報告】
2010539842.tif 000011
2010539842.tif 000012